【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組み合わせに応じて入賞が発生可能なスロットマシンにおいて、
通常状態よりも遊技者にとって有利となる特別状態へ移行させる権利を付与することが可能な権利付与手段と、
前記権利付与手段により前記権利が付与された後、移行条件が成立することで前記特別状態に制御する特別状態制御手段と、
複数ゲームにわたり継続して演出を実行することにより前記権利が付与されている可能性を示唆する連続演出を実行する連続演出実行手段と、
互いに演出態様の異なる複数種類の前記連続演出のうちから、前記権利付与手段により前記権利が付与されたか否かに応じて異なる割合で、実行する連続演出の種類を選択する連続演出選択手段と、
前記連続演出を実行する前に、前記連続演出選択手段により選択された種類の連続演出を含む複数種類の連続演出をそれぞれ示す複数の演出種類情報を表示する演出種類情報表示手段と、
ゲームの開始後、前記演出種類情報表示手段により表示されている前記複数の演出種類情報の表示態様を変化させ、最終的に前記連続演出選択手段により選択された種類の連続演出を示す演出種類情報を特定可能に表示する演出種類情報表示態様変更手段と、
を備え、
前記演出種類情報表示手段により表示される前記複数の演出種類情報の表示パターンは、一の種類の連続演出に対応する第１表示パターン及び第２表示パターンを含む異なる複数の表示パターンを含み、
前記演出種類情報表示手段は、前記権利付与手段により前記権利が付与されたか否かに応じて異なる割合で前記複数の表示パターンからいずれかの表示パターンを選択し、選択した表示パターンにて前記複数の演出種類情報を表示し、
前記連続演出実行手段は、前記演出種類情報表示手段により前記複数の演出種類情報が表示され、前記演出種類情報表示態様変更手段により、前記連続演出選択手段により選択された種類の連続演出を示す演出種類情報が特定可能に表示されたゲームの次のゲームにおいて、前記連続演出選択手段により選択された種類の連続演出を実行し、
前記権利が付与されかつ前記一の種類の連続演出が選択されたときに前記第１表示パターンが選択される割合と、前記権利が付与されずかつ前記一の種類の連続演出が選択されたときに前記第１表示パターンが選択される割合と、の比率である第１の比率は、
前記権利が付与されかつ前記一の種類の連続演出が選択されたときに前記第２表示パターンが選択される割合と、前記権利が付与されずかつ前記一の種類の連続演出が選択されたときに前記第２表示パターンが選択される割合と、の比率である第２の比率と異なる比率である
ことを特徴とするスロットマシン。
【手続補正２】
【補正対象書類名】明細書
【補正対象項目名】００１１
【補正方法】変更
【補正の内容】
【００１１】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組み合わせに応じて入賞が発生可能なスロットマシンにおいて、
通常状態よりも遊技者にとって有利となる特別状態へ移行させる権利を付与することが可能な権利付与手段と、
前記権利付与手段により前記権利が付与された後、移行条件が成立することで前記特別状態に制御する特別状態制御手段と、
複数ゲームにわたり継続して演出を実行することにより前記権利が付与されている可能性を示唆する連続演出を実行する連続演出実行手段と、
互いに演出態様の異なる複数種類の前記連続演出のうちから、前記権利付与手段により前記権利が付与されたか否かに応じて異なる割合で、実行する連続演出の種類を選択する連続演出選択手段と、
前記連続演出を実行する前に、前記連続演出選択手段により選択された種類の連続演出を含む複数種類の連続演出をそれぞれ示す複数の演出種類情報を表示する演出種類情報表示手段と、
ゲームの開始後、前記演出種類情報表示手段により表示されている前記複数の演出種類情報の表示態様を変化させ、最終的に前記連続演出選択手段により選択された種類の連続演出を示す演出種類情報を特定可能に表示する演出種類情報表示態様変更手段と、
を備え、
前記演出種類情報表示手段により表示される前記複数の演出種類情報の表示パターンは、一の種類の連続演出に対応する第１表示パターン及び第２表示パターンを含む異なる複数の表示パターンを含み、
前記演出種類情報表示手段は、前記権利付与手段により前記権利が付与されたか否かに応じて異なる割合で前記複数の表示パターンからいずれかの表示パターンを選択し、選択した表示パターンにて前記複数の演出種類情報を表示し、
前記連続演出実行手段は、前記演出種類情報表示手段により前記複数の演出種類情報が表示され、前記演出種類情報表示態様変更手段により、前記連続演出選択手段により選択された種類の連続演出を示す演出種類情報が特定可能に表示されたゲームの次のゲームにおいて、前記連続演出選択手段により選択された種類の連続演出を実行し、
前記権利が付与されかつ前記一の種類の連続演出が選択されたときに前記第１表示パターンが選択される割合と、前記権利が付与されずかつ前記一の種類の連続演出が選択されたときに前記第１表示パターンが選択される割合と、の比率である第１の比率は、
前記権利が付与されかつ前記一の種類の連続演出が選択されたときに前記第２表示パターンが選択される割合と、前記権利が付与されずかつ前記一の種類の連続演出が選択されたときに前記第２表示パターンが選択される割合と、の比率である第２の比率と異なる比率である
ことを特徴としている。
本発明の手段１に記載のスロットマシンは、
各々が識別可能な複数種類の図柄を変動表示可能な複数の可変表示領域（リール２Ｌ、２Ｃ、２Ｒ）のそれぞれに表示結果を導出表示させることが可能な可変表示装置（リール）を備え、
１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシン（１）であって、
少なくともいずれか１つの可変表示領域の表示結果が導出される前に、入賞の発生を許容するか否かを決定する事前決定手段（ＣＰＵ４１ａが行う内部抽選処理）と、
前記複数の可変表示領域の表示結果を導出させる際に操作される導出操作手段（ストップスイッチ８Ｌ、８Ｃ、８Ｒ）と、
互いに演出態様（タイプ）の異なる複数種類の演出（連続演出Ａ〜Ｄ）のうちから、いずれか１つの演出を前記事前決定手段の決定結果に応じて異なる割合で選択する演出選択手段（ＣＰＵ９１ａがＳｊ４〜Ｓｊ７にて行う連続演出抽選処理）と、
少なくとも１つの前記可変表示領域の変動表示中に、前記演出選択手段により選択された演出を含む複数種類の演出をそれぞれ示す複数の演出種類情報を報知する演出種類情報報知手段（ＣＰＵ９１ａが連続演出パターン選択処理にて行う連続演出種類報知演出）と、
を備え、
前記演出種類情報報知手段は、
前記可変表示領域の表示結果を導出させるために前記導出操作手段が操作されたときに、該演出種類情報報知手段により報知されている前記複数の演出種類情報のうち少なくとも１つの演出種類情報の報知態様を変更する演出種類情報報知態様変更手段（ＣＰＵ９１ａは、連続演出種類報知演出中において、リールの停止操作に応じてアルファベットＢ〜Ｄを順次消去していく）を含み、
前記スロットマシンは、
前記演出種類情報報知態様変更手段による前記演出種類情報の報知態様の変更が行われたことにより、前記演出選択手段により選択された演出を示す演出種類情報の報知態様と該選択演出種類情報以外の全ての演出種類情報の報知態様とが互いに異なる報知態様（アルファベットＡは拡大表示、アルファベットＢ〜Ｄは表示消去）となった後、前記演出選択手段により選択された演出を実行する演出実行手段（ＣＰＵ９１ａが行う連続演出パターン選択処理及び連続演出処理）をさらに備える、
ことを特徴としている。
この特徴によれば、複数の演出種類情報が報知されている状態で遊技者による導出操作が行われると、少なくとも１以上の演出種類情報の報知態様が変更され、演出選択手段により選択された演出を示す演出種類情報とそれ以外の全ての演出種類情報とが互いに異なる報知態様となった後、他の演出種類情報と報知態様が異なる１つの演出種類情報に対応する演出が実行される。このように演出種類情報の報知態様を変更し、その報知態様の違いにより演出の種類を報知することで、報知態様の変更パターン等により演出のバリエーションを増やすことができるため、演出を選択する過程における興趣を高めることができる。また、複数種類の演出は、事前決定手段の決定結果に応じて異なる割合で選択されることで、報知態様の変更中における遊技者の入賞の発生に対する期待感を効果的に高めることができる。
また、請求項１において所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、前記演出種類情報報知手段は、演出種類情報を所定の表示手段により表示することにより報知するものや、機械的構造物にて構成された演出種類情報を遊技者から視認可能に表示することにより報知するもの等を含む。
また、報知態様の変更とは、例えば演出種類情報を所定の表示手段にて表示するものであれば、画面上に白色にて表示された演出種類情報の表示色を黒色にする、演出種類情報を表裏反転表示する、演出種類情報の画面上に無効になった旨を示すマーク等を表示する、あるいは演出種類情報の表示を消去（クリア）すること等が含まれる。また、機械的構造物にて構成された演出種類情報であれば、該演出種類情報の前を隠蔽板等にて隠蔽すること等により報知することが含まれる。
このように報知態様の変更は、上記したように報知中の複数の演出種類情報が無効化、つまり有効でなくなった旨を示す態様に変更されることが好ましく、このようにすれば、最終的に実行される演出に対応する演出種類情報を遊技者が特定しやすくなる。
また、演出種類情報報知手段は、演出種類情報自体の報知態様を変更することにより演出の種類を報知するものに限定されるものではなく、例えば所定の演出種類情報が無効になった旨を該演出種類情報の周囲に設けられた表示領域等に表示することにより報知するもの等であってもよい。
【手続補正３】
【補正対象書類名】明細書
【補正対象項目名】００１３
【補正方法】変更
【補正の内容】
【００１３】
本発明の手段２に記載のスロットマシンは、手段１に記載のスロットマシンであって、
前記事前決定手段（ＣＰＵ４１ａが行う内部抽選処理）は、少なくともいずれか１つの可変表示領域の表示結果が導出される前に、通常遊技状態よりも遊技者にとって有利となる特別遊技状態（ビッグボーナス（１）（２）、レギュラーボーナス）への移行を伴う特別入賞（ビッグボーナス（１）（２）入賞、レギュラーボーナス入賞）の発生を許容するか否かを決定し、
前記演出実行手段は、前記演出を連続演出として１ゲームよりも長い連続演出期間の間だけ継続して実行する連続演出実行手段（ＣＰＵ９１ａが行う連続演出パターン選択処理及び連続演出処理）を含み、
前記連続演出実行手段は、
前記特別入賞の発生を許容する旨が決定されていないときに開始した前記連続演出が行われている期間に、前記事前決定手段により前記特別入賞の発生を許容する旨が決定されているか否かを判定する特別決定判定手段（ＣＰＵ９１ａは、ボーナス非当選時に開始した連続演出の最終ゲームにおいてボーナスが当選しているか否かを判定する）と、
前記特別決定判定手段により前記特別入賞の発生を許容する旨が決定されていると判定されたときに、前記連続演出が終了した後に、該終了した連続演出に続けて所定の追加演出を実行し、前記特別入賞の発生が許容されている旨を報知する追加演出実行手段（ＣＰＵ９１ａは、連続演出の最終ゲームにおいてボーナスが当選していると判定した場合に追加演出を行ってボーナスの当選を報知する）と、
を含む、
ことを特徴としている。
この特徴によれば、連続演出の実行中に、新たに複数種類の特別入賞のいずれかの発生を許容する旨が決定された場合には、最終的に特別入賞の発生を許容する旨が決定されていない旨が報知されるが、その後連続演出に続けて追加演出が実行され、当該追加演出にて特別入賞の発生を許容する旨が決定されている旨が報知されることとなる。このため、連続演出の実行中に新たに特別入賞の発生も許容する旨が決定されても、実行中の連続演出は、制御を変えることなくそのまま最後まで実行すれば良いので、その制御が複雑にならない。一方、特別入賞の発生を許容する旨が決定されている旨が、連続演出に続けて行われる追加演出にて報知されるので、連続演出の終了時において実際とは異なる結果がそのまま遊技者に与えられてしまうことがないため、遊技者に不信感を感じさせることもない。
また、特別入賞の発生を許容する旨が決定されていないときに開始した連続演出の実行中に、新たに複数種類の特別入賞のいずれかの発生を許容する旨が決定された場合には、最終的に特別入賞の発生を許容する旨が決定されていない旨が報知されるが、その後連続演出に続けて追加演出が実行され、当該追加演出にて特別入賞の発生を許容する旨が決定されている旨が報知されることとなる。このため、連続演出の実行中に新たに特別入賞の発生も許容する旨が決定されても、実行中の連続演出は、制御を変えることなくそのまま最後まで実行すれば良いので、その制御が複雑にならない。一方、特別入賞の発生を許容する旨が決定されている旨が、連続演出に続けて行われる追加演出にて報知されるので、連続演出の終了時において実際とは異なる結果がそのまま遊技者に与えられてしまうことがないため、遊技者に不信感を感じさせることもない。
また、前記特別決定判定手段は、前記特別入賞の発生を許容する旨が決定されていないときに開始した前記連続演出の最終ゲームにおいて、前記事前決定手段により前記特別入賞の発生を許容する旨が決定されているか否かを判定することが好ましく、このようにすることで、連続演出が開始した後は、連続演出が終了するゲームでのみ前記特別入賞の発生を許容する旨が決定されているか否かを判定すれば良く、この判定のための制御負荷が大きくならないで済む。
【手続補正４】
【補正対象書類名】明細書
【補正対象項目名】００１４
【補正方法】変更
【補正の内容】
【００１４】
本発明の手段３に記載のスロットマシンは、手段１または２に記載のスロットマシンであって、
前記事前決定手段（ＣＰＵ４１ａが行う内部抽選処理）は、少なくともいずれか１つの可変表示領域の表示結果が導出される前に、通常遊技状態よりも遊技者にとって有利となる特別遊技状態（ビッグボーナス（１）（２）レギュラーボーナス）への移行を伴う特別入賞（ビッグボーナス（１）（２）入賞、レギュラーボーナス入賞）の発生を許容するか否かを決定し、
前記演出実行手段は、前記演出を連続演出として１ゲームよりも長い連続演出期間の間だけ継続して実行する連続演出実行手段（ＣＰＵ９１ａが行う連続演出パターン選択処理及び連続演出処理）を含み、
前記連続演出実行手段は、
前記特別入賞の発生を許容する旨が決定されていないときに開始した前記連続演出の最終ゲームにおいて、前記事前決定手段により前記特別入賞の発生を許容する旨が決定されているか否かを判定する特別決定判定手段（ＣＰＵ９１ａは、ボーナス非当選時に開始した連続演出の最終ゲームにおいてボーナスが当選しているか否かを判定する）と、
前記特別決定判定手段により前記特別入賞の発生を許容する旨が決定されていると判定されたときに、その後から前記連続演出が終了するまでの演出の少なくとも一部を他の演出に差し替えて実行し、該差し替え後の演出にて前記特別入賞の発生が許容されている旨を報知する差し替え演出実行手段（ＣＰＵ９１ａは、連続演出の最終ゲームにおいてボーナスが当選していると判定した場合に最終的な演出の内容を差し替えてボーナスの当選を報知する）と、
を含む、
ことを特徴としている。
この特徴によれば、差し替え時実行手段を備える場合には、特別入賞の発生を許容する旨が決定されていないときに開始した連続演出の実行中に、新たに特別入賞の発生を許容する旨が決定された場合には、該連続演出が終了するまでの演出の少なくとも一部を他の演出に差し替えて実行し、その差し替えて実行した演出にて特別入賞の発生を許容する旨が決定されている旨が報知されることとなる。これにより、連続演出の終了時において実際とは異なる結果がそのまま遊技者に与えられてしまうことがないため、遊技者に不信感を感じさせることもない。
また、追加演出実行手段を備える場合には、特別入賞の発生を許容する旨が決定されていないときに開始した連続演出の実行中に、新たに複数種類の特別入賞のいずれかの発生を許容する旨が決定された場合には、最終的に特別入賞の発生を許容する旨が決定されていない旨が報知されるが、その後連続演出に続けて追加演出が実行され、当該追加演出にて特別入賞の発生を許容する旨が決定されている旨が報知されることとなる。このため、連続演出の実行中に新たに特別入賞の発生も許容する旨が決定されても、実行中の連続演出は、制御を変えることなくそのまま最後まで実行すれば良いので、その制御が複雑にならない。一方、特別入賞の発生を許容する旨が決定されている旨が、連続演出に続けて行われる追加演出にて報知されるので、連続演出の終了時において実際とは異なる結果がそのまま遊技者に与えられてしまうことがないため、遊技者に不信感を感じさせることもない。
また、連続演出が開始した後は、連続演出が終了するゲームでのみ前記特別入賞の発生を許容する旨が決定されているか否かを判定すれば良く、この判定のための制御負荷が大きくならないで済む。特に、差し替え時実行手段を備える場合には、特別入賞の発生を許容する旨が決定されたのが連続演出が終了するゲームよりも前であっても、連続演出が終了するゲームとなったときに演出の内容を差し替えれば済むため、演出の差し替えのパターンが複雑になりすぎず、制御負荷が大きくなりすぎないで済むことになる。
また、手段２、３において前記連続演出は、例えば、前記特別入賞の発生を許容する旨が決定されているか否かを示唆する示唆演出を行った後、前記特別入賞の発生も許容する旨が決定されているか否かを示す情報を前記連続演出の終了時において確定報知するものである。示唆演出と確定報知は、一連の連続演出の処理として行われるものとしても、示唆演出の処理が終了した後に別個の処理で確定報知を行うものとしても良い。前記追加演出についても同様である。
【手続補正５】
【補正対象書類名】明細書
【補正対象項目名】００１５
【補正方法】変更
【補正の内容】
【００１５】
本発明の手段４に記載のスロットマシンは、手段１〜３のいずれかに記載のスロットマシンであって、
前記演出実行手段は、前記演出を連続演出として少なくとも１ゲームよりも長い連続演出期間の間だけ継続して実行する連続演出実行手段（ＣＰＵ９１ａが行う連続演出パターン選択処理及び連続演出処理）を含み、
前記スロットマシン（１）は、
画像を表示可能な画像表示手段（液晶表示器５１）と、
前記連続演出実行手段により実行される連続演出（連続演出、追加演出）とゲーム終了後に遊技が進行されていない状態が継続したときに実行されるデモ演出（待機演出）とを含む前記画像表示手段への画像の表示により実行される複数種類の演出にそれぞれ対応する複数種類の画像演出データを予め格納した画像演出データ格納手段（ＲＯＭ９１ｂ）、
データを読み書き可能に記憶する手段であって、前記複数種類の画像演出データのうちで実行中の演出に対応する画像演出データが書き込まれる実行演出データ領域（実行演出データ領域）と、該実行演出データ領域に書き込まれた画像演出データに基づいて作成される表示画像データが書き込まれる画像データ領域（フレームバッファ）とを含む画像演出データ記憶手段（ＲＡＭ９１ｃ）と、
前記画像表示手段への画像の表示による演出の実行を制御する演出制御手段（演出制御基板９０，ＣＰＵ９１ａ）と、
を備え、
前記演出制御手段は、
前記連続演出の実行が開始されるゲームにおいて前記画像演出データ格納手段から前記連続演出の画像演出データを読み出し、該読み出した連続演出の画像演出データを前記実行演出データ領域に書き込む連続演出データ書込手段（ＣＰＵ９１ａ）と、
ゲームが終了した後に前記画像演出データ格納手段から前記デモ演出の画像演出データを読み出し、該読み出したデモ演出の画像演出データを前記実行演出データ領域に書き込むデモ演出データ書込手段（ＣＰＵ９１ａ）と、
前記実行演出データ領域に書き込まれた画像演出データを読み出し、該読み出した画像演出データに基づいて表示画像データを作成して前記画像データ領域に書き込む表示画像データ書込手段（ＣＰＵ９１ａ）と、
前記画像データ領域に書き込まれた表示画像データを読み出し、該読み出した表示画像データに対応した画像を前記画像表示手段に表示させる画像表示制御手段（ＣＰＵ９１ａ）と、
前記連続演出データ書込手段が前記実行演出データ領域に前記連続演出の画像演出データを書き込んだ後から該連続演出の実行が終了するまでの間、前記デモ演出データ書込手段が前記実行演出データ領域に前記デモ演出の画像演出データを書き込むことを禁止するデモ演出禁止手段（制御パターン設定処理におけるステップＳｑ７，Ｓｑ８）と、
を含む、
ことを特徴としている。
この特徴によれば、連続演出は、１ゲームよりも長い期間に亘って実行される演出であり、１ゲームが終了した後も実行の継続される演出ということになる。ここで、連続演出が開始されるゲームでは、画像演出データ格納手段から連続演出の画像演出データが読み出され、画像演出データ記憶手段の実行演出データ領域に書き込まれるものとなる。また、連続演出は、１ゲーム限りで終了する演出よりも長い期間で継続する演出であるため、連続演出の画像演出データは、１ゲーム限りで終了する演出の画像演出データよりもデータ量が大きなものとなっていることが多い。
【手続補正６】
【補正対象書類名】明細書
【補正対象項目名】００２１
【補正方法】変更
【補正の内容】
【００２１】
本発明の手段５に記載のスロットマシンは、手段１〜４のいずれかに記載のスロットマシンであって、
前記演出実行手段は、前記演出を連続演出として少なくとも１ゲームよりも長い連続演出期間の間だけ継続して実行する連続演出実行手段（ＣＰＵ９１ａが行う連続演出パターン選択処理及び連続演出処理）を含み、
前記スロットマシン（１）は、
画像を表示可能な画像表示手段（液晶表示器５１）と、
前記連続演出実行手段により実行される連続演出（連続演出、追加演出）と遊技履歴を表示させる履歴表示演出（遊技履歴情報の閲覧画面）とを含む前記画像表示手段への画像の表示により実行される複数種類の演出にそれぞれ対応する複数種類の画像演出データを予め格納した画像演出データ格納手段（ＲＯＭ９１ｂ）と、
データを読み書き可能に記憶する手段であって、前記複数種類の画像演出データのうちで実行中の演出に対応する画像演出データが書き込まれる実行演出データ領域（実行演出データ領域）と、該実行演出データ領域に書き込まれた画像演出データに基づいて作成される表示画像データが書き込まれる画像データ領域（フレームバッファ）とを含む画像演出データ記憶手段（ＲＡＭ９１ｃ）と、
遊技者の操作（選択スイッチ５６、決定スイッチ５７の操作）に応じて前記履歴表示演出を実行させることを指示する履歴表示指示手段（ＣＰＵ９１ａ）と、
前記画像表示手段への画像の表示による演出の実行を制御する演出制御手段（演出制御基板９０，ＣＰＵ９１ａ）と、
を備え、
前記演出制御手段は、
前記連続演出の実行が開始されるゲームにおいて前記画像演出データ格納手段から前記連続演出の画像演出データを読み出し、該読み出した連続演出の画像演出データを前記実行演出データ領域に書き込む連続演出データ書込手段（ＣＰＵ９１ａ）と、
少なくともゲームが実行されていないときにおいて、前記履歴表示指示手段により前記履歴表示演出の実行が指示されたときに、前記画像演出データ格納手段から前記履歴表示演出の画像演出データを読み出し、該読み出した履歴表示演出の画像演出データを前記実行演出データ領域に書き込む履歴表示演出データ書込手段（ＣＰＵ９１ａ）と、
前記実行演出データ領域に書き込まれた画像演出データを読み出し、該読み出した画像演出データに基づいて表示画像データを作成して前記画像データ領域に書き込む表示画像データ書込手段（ＣＰＵ９１ａ）と、
前記画像データ領域に書き込まれた表示画像データを読み出し、該読み出した表示画像データに対応した画像を前記画像表示手段に表示させる画像表示制御手段（ＣＰＵ９１ａ）と、
前記連続演出データ書込手段が前記実行演出データ領域に前記連続演出の画像演出データを書き込んだ後から該連続演出の実行が終了するまでの間、前記履歴表示演出データ書込手段が前記実行演出データ領域に前記履歴表示演出の画像演出データを書き込むことを禁止する履歴表示演出禁止手段（メニュー画面表示処理におけるＳｒ５〜８）と、
を含む、
ことを特徴としている。
この特徴によれば、連続演出は、１ゲームよりも長い期間に亘って実行される演出であり、１ゲームが終了した後も実行の継続される演出ということになる。ここで、連続演出が開始されるゲームでは、画像演出データ格納手段から連続演出の画像演出データが読み出され、画像演出データ記憶手段の実行演出データ領域に書き込まれるものとなる。また、連続演出は、１ゲーム限りで終了する演出よりも長い期間で継続する演出であるため、連続演出の画像演出データは、１ゲーム限りで終了する演出の画像演出データよりもデータ量が大きなものとなっていることが多い。
【手続補正７】
【補正対象書類名】明細書
【補正対象項目名】００２６
【補正方法】変更
【補正の内容】
【００２６】
本発明の手段６に記載のスロットマシンは、手段１〜５のいずれかに記載のスロットマシンであって、
前記演出実行手段は、前記演出を連続演出として少なくとも１ゲームよりも長い連続演出期間の間だけ継続して実行する連続演出実行手段（ＣＰＵ９１ａが行う連続演出パターン選択処理及び連続演出処理）を含み、
前記スロットマシン（１）は、
画像を表示可能な画像表示手段（液晶表示器５１）と、
前記連続演出実行手段により実行される連続演出（連続演出、追加演出）と遊技者の操作に応じて複数の演出モード（演出モード１，２）のうちから何れかの演出モードの選択を可能とする選択演出（演出モードの選択画面）とを含む前記画像表示手段への画像の表示により実行される複数種類の演出にそれぞれ対応する複数種類の画像演出データを予め格納した画像演出データ格納手段（ＲＯＭ９１ｂ）と、
データを読み書き可能に記憶する手段であって、前記複数種類の画像演出データのうちで実行中の演出に対応する画像演出データが書き込まれる実行演出データ領域（実行演出データ領域）と、該実行演出データ領域に書き込まれた画像演出データに基づいて作成される表示画像データが書き込まれる画像データ領域（フレームバッファ）とを含む画像演出データ記憶手段（ＲＡＭ９１ｃ）と、
遊技者の操作（選択スイッチ５６、決定スイッチ５７の操作）に応じて前記選択演出を実行させることを指示する選択演出指示手段（ＣＰＵ９１ａ）と、
前記選択演出が実行されているときにおける遊技者の操作（選択スイッチ５６、決定スイッチ５７の操作）に応じて前記演出モードを選択する演出モード選択手段（ＣＰＵ９１ａ）と、
前記演出モード選択手段により選択された演出モードに従って、前記画像表示手段への画像の表示による演出の実行を制御する演出制御手段（演出制御基板９０，ＣＰＵ９１ａ）と、
を備え、
前記演出制御手段は、
前記連続演出の実行が開始されるゲームにおいて前記画像演出データ格納手段から前記連続演出の画像演出データを読み出し、該読み出した連続演出の画像演出データを前記実行演出データ領域に書き込む連続演出データ書込手段（ＣＰＵ９１ａ）と、
少なくともゲームが実行されていないときにおいて、前記選択演出指示手段により前記選択演出の実行が指示されたときに、前記画像演出データ格納手段から前記選択演出の画像演出データを読み出し、該読み出した選択演出の画像演出データを前記実行演出データ領域に書き込む選択演出データ書込手段（ＣＰＵ９１ａ）と、
前記実行演出データ領域に書き込まれた画像演出データを読み出し、該読み出した画像演出データに基づいて表示画像データを作成して前記画像データ領域に書き込む表示画像データ書込手段（ＣＰＵ９１ａ）と、
前記画像データ領域に書き込まれた表示画像データを読み出し、該読み出した表示画像データに対応した画像を前記画像表示手段に表示させる画像表示制御手段（ＣＰＵ９１ａ）と、
前記連続演出データ書込手段が前記実行演出データ領域に前記連続演出の画像演出データを書き込んだ後から該連続演出の実行が終了するまでの間、前記選択演出データ書込手段が前記実行演出データ領域に前記選択演出の画像演出データを書き込むことを禁止する選択演出禁止手段（メニュー画面表示処理におけるＳｒ５〜８）と、
を含む、
ことを特徴としている。
この特徴によれば、連続演出は、１ゲームよりも長い期間に亘って実行される演出であり、１ゲームが終了した後も実行の継続される演出ということになる。ここで、連続演出が開始されるゲームでは、画像演出データ格納手段から連続演出の画像演出データが読み出され、画像演出データ記憶手段の実行演出データ領域に書き込まれるものとなる。また、連続演出は、１ゲーム限りで終了する演出よりも長い期間で継続する演出であるため、連続演出の画像演出データは、１ゲーム限りで終了する演出の画像演出データよりもデータ量が大きなものとなっていることが多い。